(57)【要約】【課題】器具本体に電源部が取り付けられた照明器具であって、器具本体の設置の向きを変更することなく、電源部の配置を変更できる照明器具を提供する。【解決手段】照明器具１は、光源３０と、凹部１６を有し、凹部１６内に光源３０を収容する器具本体１０と、光源３０に電力を供給する電源部８０と、電源部８０を支持する支持部材９０と、支持部材９０を器具本体１０に取り付ける取付部材６０であって、光源３０の光軸方向視において、器具本体１０に対する支持部材９０の光軸回りの取付角度が可変である取付部材６０とを備える。【選択図】図４
2017139137.tif 000002
【特許請求の範囲】
【請求項１】
光源と、
凹部を有し、前記凹部内に前記光源を収容する器具本体と、
前記光源に電力を供給する電源部と、
前記電源部を支持する支持部材と、
前記支持部材を前記器具本体に取り付ける取付部材であって、前記光源の光軸方向視において、前記器具本体に対する前記支持部材の前記光軸回りの取付角度が可変である取付部材とを備える
照明器具。
【請求項２】
前記支持部材は、前記光軸方向視において、前記器具本体から突出する突出部を有し、
前記電源部は、前記突出部に配置されている
請求項１に記載の照明器具。
【請求項３】
前記取付角度は、不連続的に可変である
請求項１又は２に記載の照明器具。
【請求項４】
前記取付部材は、前記支持部材を互いに異なる前記取付角度で取り付ける少なくとも二対の取付部を有し、
前記支持部材は、前記少なくとも二対の取付部のうちの一対に取り付けられている
請求項１〜３のいずれか１項に記載の照明器具。
【請求項５】
前記支持部材は、前記少なくとも二対の取付部のうちの一対に取り付けられる一対の被取付部を有する
請求項４に記載の照明器具。
【請求項６】
前記少なくとも二対の取付部の各対は、前記光軸を挟んで互いに対向している
請求項４又は５に記載の照明器具。
【請求項７】
前記取付部材は、多角形の板状部を備え、前記少なくとも二対の取付部は、前記多角形の辺部から延びている
請求項４〜６のいずれか１項に記載の照明器具。
【請求項８】
前記取付角度は、連続的に可変である
請求項１又は２に記載の照明器具。
【請求項９】
前記器具本体は、前記取付部材を固定する一対の第一固定部をさらに備える
請求項１〜８のいずれか１項に記載の照明器具。
【請求項１０】
前記器具本体は、前記光源に対して前記凹部の開口部と反対側に放熱部を備え、
前記取付部材は、前記放熱部に取り付けられている
請求項１〜８のいずれか１項に記載の照明器具。
【請求項１１】
前記取付部材は、前記器具本体と一体的に形成されている
請求項１〜８のいずれか１項に記載の照明器具。
【請求項１２】
前記器具本体の前記凹部の開口部側に配置され、鍔部を有する環状の枠体をさらに備える
請求項１〜１１のいずれか１項に記載の照明器具。
【請求項１３】
前記枠体は、前記器具本体に固定される一対の第二固定部を有する
請求項１２に記載の照明器具。
【請求項１４】
当該照明器具は、被設置部に埋め込み配設されるダウンライトである
請求項１〜１３のいずれか１項に記載の照明器具。
【発明の詳細な説明】
【技術分野】
【０００１】
本発明は、電源部を備える照明器具に関する。
【背景技術】
【０００２】
従来、照明器具として、例えば、ダウンライトのように天井板等の被設置部に埋め込み配設されて鉛直方向下向きに光を照射する天井埋込型の照明器具等が知られている。
【０００３】
この種の照明器具は、器具本体の凹部に収容された光源と、器具本体に取り付けられた枠体と、器具本体の外部に設置され、光源を点灯させるための電源部とを備えている。
【０００４】
例えば、天井埋込型の照明器具においては、簡素化された構成で電源部の防水性能を担保するために、電源部は、上部を支持部材で覆われ、かつ、器具本体に取り付けられる。これにより、照明器具の上方から水滴などが降りかかる場合にも、電源部内に水分が進入することを抑制できる。
【０００５】
また、照明器具が配置される天井裏の空間の高さには制限があるため、照明器具の高さを抑える必要がある。そこで、照明器具の高さを抑えるために、電源部は器具本体に対して、光軸方向に交差する方向に配置されている（例えば、特許文献１）。
【先行技術文献】
【特許文献】
【０００６】
【特許文献１】特開２０１４−１６７８８９号公報
【発明の概要】
【発明が解決しようとする課題】
【０００７】
特許文献１に開示された照明器具では、光軸方向視において、器具本体から電源部が突出している。そのため、例えば、天井裏に柱などの障害物がある場合に、器具本体から突出した電源部と障害物とが干渉し得る。電源部と障害物との干渉を回避するために、照明器具を、光源の光軸の回りに回転させること、つまり、照明器具の設置角度を変更することができる。しかしながら、照明器具の設置角度を変更することによって、照明器具のユーザ側からの外観の向きが変化する場合がある。この場合、照明器具の設置角度をユーザが認識し得る。特に、複数の照明器具を並べて使用する場合、照明器具の設置角度が揃っていないと、統一感が損なわれる。
【０００８】
そこで、本発明は、器具本体に電源部が取り付けられた照明器具であって、器具本体の設置の向きを変更することなく、電源部の配置を変更できる照明器具を提供する。
【課題を解決するための手段】
【０００９】
上記課題を解決するために、本発明に係る照明器具の一態様は、光源と、凹部を有し、前記凹部内に前記光源を収容する器具本体と、前記光源に電力を供給する電源部と、前記電源部を支持する支持部材と、前記支持部材を前記器具本体に取り付ける取付部材であって、前記光源の光軸方向視において、前記器具本体に対する前記支持部材の前記光軸回りの取付角度が可変である取付部材とを備える。
【発明の効果】
【００１０】
本発明によれば、器具本体に電源部が取り付けられた照明器具であって、器具本体の設置方向を変更することなく、電源部の配置を変更できる照明器具を提供できる。
【図面の簡単な説明】
【００１１】
【図１】図１は、実施の形態１に係る照明器具の外観を示す斜視図である。
【図２】図２は、実施の形態１に係る照明器具の外観を示す側面図である。
【図３】図３は、実施の形態１に係る照明器具の外観を示す底面図である。
【図４】図４は、実施の形態１に係る照明器具の構成を示す分解斜視図である。
【図５】図５は、実施の形態１に係る照明器具の断面図である。
【図６】図６は、実施の形態１に係る照明器具の拡大断面図である。
【図７】図７は、実施の形態１に係る照明器具の器具本体の分解斜視図である。
【図８】図８は、実施の形態１に係る照明器具の取付態様の一例を示す斜視図である。
【図９】図９は、実施の形態１に係る照明器具の取付態様の他の一例を示す斜視図である。
【図１０】図１０は、比較例に係る照明器具の設置態様の一例を示す外観図である。
【図１１】図１１は、実施の形態１に係る照明器具の設置態様の一例を示す外観図である。
【図１２】図１２は、実施の形態２に係る照明器具の外観を示す斜視図である。
【図１３】図１３は、実施の形態２に係る照明器具の構成を示す一部分解斜視図である。
【発明を実施するための形態】
【００１２】
以下、本発明の実施の形態について、図面を参照しながら説明する。なお、以下に説明する実施の形態は、いずれも本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１３】
なお、各図は、模式図であり、必ずしも厳密に図示されたものではない。また、各図において、実質的に同一の構成に対しては同一の符号を付しており、重複する説明は省略又は簡略化する。
【００１４】
（実施の形態１）
［１−１．全体構成］
まず、実施の形態１に係る照明器具の全体構成について、図１〜図７を用いて説明する。
【００１５】
図１、図２及び図３は、それぞれ本実施の形態に係る照明器具１の外観を示す斜視図、側面図及び底面図である。
【００１６】
図４は、本実施の形態に係る照明器具１の構成を示す分解斜視図である。
【００１７】
図５は、本実施の形態に係る照明器具１の断面図である。図５においては、照明器具１の光軸Ｊを含む断面が示されている。
【００１８】
図６は、本実施の形態に係る照明器具１の拡大断面図である。図６においては、図５に示される破線及び光軸Ｊで囲まれた領域ＶＩの内部が示されている。
【００１９】
図７は、本実施の形態に係る照明器具１の器具本体１０の分解斜視図である。
【００２０】
なお、各図において、光軸Ｊに平行な方向をＹ軸方向、光軸Ｊに垂直で互いに直交する２つの方向をＺ軸方向及びＸ軸方向としている。本実施の形態において、Ｙ軸方向は、鉛直方向である。
【００２１】
図１〜図６に示される照明器具１は、例えば建物の天井板等の被設置部に埋め込み配設されることにより下方（床や壁等）に光を照明するダウンライト等の埋込型照明器具である。
【００２２】
図１、図２及び図４に示されるように、照明器具１は、器具本体１０、枠体２０、取付部材６０、電源部８０及び支持部材９０を備える。また、図６に示されるように、照明器具１は、器具本体１０の内部に、光源３０、反射部材４０、光学部材４２及びカバー部材４４をさらに備える。以下、照明器具１の各構成要素について説明する。
【００２３】
［１−１−１．器具本体］
器具本体１０は、図６に示されるように、凹部１６を有し、凹部１６内に光源３０を収容する部材である。本実施の形態では、器具本体１０は、光源３０が取り付けられる取付台である。器具本体１０は、光源３０から発せられた熱を放散するヒートシンクとしても機能する。したがって、器具本体１０は、金属材料等の熱伝導率の高い材料によって構成されているとよい。器具本体１０は、例えばアルミニウムからなるアルミダイカスト製である。
【００２４】
図６及び図７に示されるように、器具本体１０は、光源取付台１２、筒状部１１及び本体固定部１４を備える。器具本体１０は、図６に示されるように、光源取付台１２、筒状部１１及び本体固定部１４によって形成される凹部１６を有する。照明器具１は、凹部１６の開口部１７から光を出射する。
【００２５】
光源取付台１２は、光源３０が取り付けられる台状の部分である。図６に示されるように、光源取付台１２のＹ軸方向負側には、光源３０が配置され、光源取付台１２のＹ軸方向正側には、放熱部１３が配置される。これにより、光源３０から発せられた熱が、放熱部１３に効率よく伝達される。
【００２６】
放熱部１３は、光源３０で発生する熱を放散する部分であり、器具本体１０における、光源３０に対して凹部１６の開口部１７と反対側に備えられる。放熱部１３は複数のフィンを備える。放熱部１３は、光源取付台１２のＹ軸方向正側に光源取付台１２と一体的に形成される。
【００２７】
本体固定部１４は、光源取付台１２と筒状部１１との間に配置され、取付部材６０を器具本体１０に固定し、かつ、枠体２０を器具本体１０に固定する。本体固定部１４は、図７に示されるように、円環状の形状を有し、取付部材６０を固定する一対の第一固定部１４１を備える。図７に示されるように、第一固定部１４１は、円環状の本体固定部１４からＹ軸方向正側に延びる部分である。図４に示されるように、第一固定部１４１のＹ軸方向正側端部において、取付部材６０が枠体２０に固定される。
【００２８】
筒状部１１は、本体固定部１４のＹ軸方向負側に配置され、光源３０の光軸Ｊを囲む筒状の部分である。筒状部１１のＹ軸方向負側端部は、光源３０を収容する凹部１６の開口部１７であり、開口部１７から照明器具１の出射光が出射される。
【００２９】
本実施の形態では、器具本体１０は、上述のとおり、光源取付台１２、本体固定部１４及び筒状部１１の三つの部分に分離されている。また、図６及び図７に示されるように、光源取付台１２と本体固定部１４との間、及び、本体固定部１４と筒状部１１との間には、それぞれ円環状のパッキン１５ａ及び１５ｂが配置されている。図７に示されるように、光源取付台１２と本体固定部１４とは、パッキン１５ａをそれらの間に挟んだ状態で、ねじ１３６により締結される。これにより、光源取付台１２と本体固定部１４との隙間を液密に封止することができる。また、同様に、本体固定部１４と筒状部１１とは、それらの間にパッキン１５ｂを挟んだ状態で、ねじ１４６により締結される。これにより、本体固定部１４と筒状部１１との隙間を液密に封止することができる。なお、本実施の形態では、器具本体１０は、三つの部分に分離されているが、一体的に形成されてもよい。
【００３０】
器具本体１０の筒状部１１と枠体２０との間には、図６に示されるように、パッキン１５ｄが配置されている。これにより、筒状部１１と枠体２０との隙間を液密に封止することができる。
【００３１】
［１−１−２．枠体］
図１〜図５に示される枠体２０は、器具本体１０の凹部１６の開口部１７側に配置され、鍔部２５を有する環状の部材であり、器具本体１０を天井板などの被設置部に取り付ける。枠体２０は、例えば、アルミニウムなどの金属材料によって形成することができる。
【００３２】
本実施の形態では、図５に示されるように、枠体２０は、一対の第二固定部２１、一対の保持部２２、一対の立設部２３、セード部２４及び鍔部２５を備える。
【００３３】
第二固定部２１は、器具本体１０に固定される部分である。一対の第二固定部２１は、それぞれ器具本体１０の一対の第一固定部１４１に対応する位置に配置され、一対の第一固定部１４１に固定される。
【００３４】
保持部２２は、照明器具１が取り付けられる天井板などの被設置部を保持する部分である。保持部２２と、鍔部２５との間に被設置部を挟むことにより、保持部２２は、被設置部を保持する。
【００３５】
立設部２３は、鍔部２５からＹ軸方向正側に立設された部分である。一対の立設部２３の各々に、保持部２２及び第二固定部２１が配置される。
【００３６】
セード部２４は、光源３０からの出射光の一部を反射する部分である。セード部２４は、Ｙ軸方向負側の端部に向かって内径が漸次大きくなるように構成された筒状の形状を有する。また、図３に示されるように、枠体２０は、セード部２４において器具本体１０にねじ２８を用いて固定される。
【００３７】
鍔部２５は、照明器具１が取り付けられる天井板などの被設置部を保持する円環状の部分である。上述のとおり、鍔部２５は、鍔部２５と保持部２２との間に、天井板などの被設置部を挟むことによって、被設置部を保持する。なお、図５に示されるように、鍔部２５と被設置部との間には、パッキン２６が配置される。これにより、鍔部２５と被設置部との間を液密に封止することができる。
【００３８】
［１−１−３．光源］
図６に示される光源３０は、発光モジュールであって、所定の光を放射状に出射する光源である。本実施の形態では、光源３０は、ＬＥＤを有する発光モジュールである。光源３０は、例えば白色光を出射するように構成されている。光源３０は、ＣＯＢ（Ｃｈｉｐ  Ｏｎ  Ｂｏａｒｄ）型ＬＥＤで構成され、基台３０２と、基台３０２上に実装されたベアチップ（ＬＥＤチップ）である複数のＬＥＤ３０４と、それらＬＥＤ３０４を封止し、蛍光体を含む封止部材とを備える。なお、本実施の形態では、封止部材は全てのＬＥＤ３０４を一括封止しているが、封止部材の構成はこれに限られない。ライン状に配列されたＬＥＤ３０４の配列方向に沿って複数本のライン状に封止部材を形成する構成としてもよい。
【００３９】
基台３０２は、複数のＬＥＤ３０４を実装するための実装基板であって、例えばセラミックス基板、樹脂基板又は絶縁被覆されたメタルベース基板などである。また、基台３０２は、例えば平面視において矩形形状である平面を有する板材である。基台３０２は、底面（Ｙ軸方向正側の面）を器具本体１０の光源取付台１２に向けて固定される。なお、基台３０２には、ＬＥＤ３０４を発光させるための直流電力を外部から受電するための一対の電極端子（正電極端子及び負電極端子）が形成されている（不図示）。
【００４０】
以上のように構成される光源３０は、器具本体１０の凹部１６に収容される。本実施の形態において、光源３０は、図６に示される光源取付部材３２及び接続部材３６によって、器具本体１０の光源取付台１２のＹ軸方向負側に固定されている。
【００４１】
光源取付部材３２は、光源３０を器具本体１０の光源取付台１２に取り付けるための部材である。本実施の形態では、光源取付部材３２は、矩形枠状の部材であり、光軸Ｊに垂直な方向における光源３０の位置を規制する。光源取付部材３２は、例えば、ポリブチレンテレフタレート（ＰＢＴ）、ポリカーボネート（ＰＣ）などの樹脂材料を用いて形成することができる。
【００４２】
接続部材３６は、光源３０の光軸Ｊ方向の位置を規制するための部材である。例えば、接続部材３６には、ねじを貫通させるための貫通孔が形成されており、当該貫通孔に挿入されたねじによって、接続部材３６が光源取付台１２及び光源取付部材３２に固定される。その際、接続部材３６の一部が、光源３０を光源取付台１２に向けて押さえることにより、光源３０の光軸Ｊ方向（Ｙ軸方向）における位置を規制する。
【００４３】
また、接続部材３６は、光源３０へ電流を供給する電線８１（図２参照）に接続される部材でもある。本実施の形態に係る照明器具１は、光源３０のＺ軸方向両端部にそれぞれひとつずつ接続部材３６を備え、一方の接続部材３６に高電位側の電線が、他方の接続部材３６に低電位側の配線が、それぞれ接続される。接続部材３６には、光源３０へ電流を供給する電極（不図示）が設けられている。当該電極が光源３０に形成された電極端子に接続される。
【００４４】
接続部材３６の筐体は、例えば、ＰＢＴ、ＰＣなどの樹脂材料を用いて形成することができる。また、接続部材３６の電極は、銅などの導電性部材を用いて形成することができる。
【００４５】
［１−１−４．反射部材］
図６に示される反射部材４０は、光源３０からの光の配光を制御する部材である。本実施の形態では、反射部材４０は、光源３０からの光を光学部材４２に向けて反射させる。
【００４６】
反射部材４０は、図６に示されるように、光源３０からの光が入射される側（Ｙ軸方向正側）の端部から、当該光が出射される側の端部に向かって内径が漸次大きくなるように構成された筒状の形状を有する。反射部材４０の内面において、光源３０からの光が反射される。
【００４７】
反射部材４０は、例えばＰＢＴなど硬質の白色樹脂材料を用いて形成することができる。なお、反射部材４０は、内面にアルミニウムなどの金属膜が設けられてもよい。
【００４８】
［１−１−５．光学部材］
図６に示される光学部材４２は、反射部材４０からの光が入射される透光性の部材である。光学部材４２は、反射部材４０から入射した光の配光を制御して出射する機能を有してもよい。本実施の形態では、光学部材４２はフレネルレンズである。光学部材４２は、反射部材４０からの光を集光し、略円形の断面を有する光を出射する。
【００４９】
光学部材４２は、透光性材料を用いて形成されており、例えばＰＭＭＡ（アクリル）、ＰＣなどの透明樹脂材料、又は、ガラス材料などの透明材料を用いて形成することができる。
【００５０】
［１−１−６．カバー部材］
図６に示されるカバー部材４４は、光学部材４２などを保護するための透光性の部材である。カバー部材４４は、例えば、表面にシボ加工が施されることにより、光学部材４２から入射した光を散乱させる機能を有してもよい。カバー部材４４は、チューブ状のパッキン１５ｃを介して、筒状部１１によって本体固定部１４側に押圧されることによって固定される。
【００５１】
カバー部材４４は、透光性材料を用いて形成されており、例えばＰＭＭＡ、ＰＣなどの透明樹脂材料、又は、ガラス材料などの透明材料を用いて形成することができる。
【００５２】
［１−１−７．取付部材］
図１、図２及び図４に示される取付部材６０は、支持部材９０を器具本体１０に取り付ける部材であって、光源３０の光軸Ｊ方向視において、器具本体１０に対する支持部材９０の光軸Ｊ回りの取付角度が可変である部材である。つまり、器具本体１０に対する光軸Ｊ方向視における光軸Ｊ回りの配置位置が可変である。図４に示されるように取付部材６０は、支持部材９０を互いに異なる取付角度で取り付ける少なくとも二対の取付部６２を有し、支持部材９０は、少なくとも二対の取付部６２のうちの一対に取り付けられている。これにより、支持部材９０は、少なくとも二つの取付角度で、器具本体１０に取り付けられ得る。
また、取付部材６０は、多角形の板状部６１を備え、少なくとも二対の取付部６２は、多角形の辺部から延びている。なお、ここで、「多角形」とは、多角形状であることを意味し、幾何学的に正確な多角形に限定されない。例えば、多角形の各頂点部分が曲率を有してもよい。
【００５３】
本実施の形態では、取付部材６０は、八角形の板状部６１を備え、八角形の各辺部から延びる板状の四対の取付部６２を有する。四対の取付部６２の各対は、光軸Ｊを挟んで互いに対向している。取付部６２の各々には、ねじ穴が形成されており、支持部材９０に形成された貫通孔を介して段付きねじ９３が当該ねじ穴に捻じ込まれることにより、支持部材９０が取付部材６０に取り付けられる。このように、本実施の形態では、支持部材９０によって、取付部材６０及び器具本体１０に加えられる力が、光軸Ｊを挟んで対向する位置に加えられるので、取付部材６０及び器具本体１０に加えられる力が光軸に対して一方寄りに偏らない。したがって、取付部材６０及び器具本体１０にバランスよく力が加わるため、それらの変形及び破損を抑制することができる。
【００５４】
本実施の形態では、図４及び図５に示されるように、取付部材６０は一対の第三固定部６３を備える。取付部材６０は、一対の第三固定部６３において、器具本体１０に固定される。本実施の形態では、第三固定部６３は、取付部６２のＹ軸方向負側端部から光軸Ｊに略垂直な方向に延びる板状部分である。第三固定部６３には、貫通孔が形成されている。当該貫通孔を介してねじ６５が第一固定部１４１のねじ穴に捻じ込まれることにより、取付部材６０は器具本体１０に固定される。
【００５５】
取付部材６０は、例えば、アルミニウムなどの金属材料によって形成することができる。
【００５６】
取付部材６０が以上のような構成を有することにより、照明器具１では、支持部材９０を、取付部材６０を介して器具本体１０に取り付けることができる。また、光軸Ｊ方向視において、器具本体１０に対する支持部材９０の光軸Ｊ回りの取付角度が可変である。本実施の形態では、上述のとおり取付角度は不連続的に可変である。つまり、取付角度は段階的に可変である。これにより、支持部材９０の取付角度が連続的に変動することを抑制できるため、支持部材９０及び電源部８０を器具本体１０に対して安定的に取り付けることができる。
【００５７】
［１−１−８．電源部］
図１〜図４に示される電源部８０は、光源３０に電力を供給する電源装置である。例えば、電源部８０は、光源３０のＬＥＤ３０４を発光させるための電力を生成する電源回路及び当該電源回路を収容するケースによって構成されている。具体的には、電源部８０は、商用電源等の外部電源からの交流電力を、整流、平滑及び降圧等して所定レベルの直流電力に変換する。電源部８０で生成された直流電力は、図２に示される電線８１及び接続部材３６を介して光源３０に供給される。なお、図２では、電線８１の一部だけが図示されている。
【００５８】
電源部８０は、例えば、プリント回路基板と、プリント回路基板に実装された複数の電子部品とを有する。回路基板に実装される電子部品は、光源３０を点灯させるためのものである。例えば、当該電子部品には、電解コンデンサやセラミックコンデンサ等の容量素子、抵抗器等の抵抗素子、整流回路素子、コイル素子、チョークコイル（チョークトランス）、ノイズフィルタ、ダイオード又は集積回路素子などの半導体素子などが含まれる。なお、電源部８０には、調光回路や昇圧回路などが組み合わされていてもよい。
【００５９】
このように構成される電源部８０は、支持部材９０によって支持されて、器具本体１０に取り付けられる。例えば、電源部８０は、回路基板と電子部品を収容する金属製又は樹脂製のケースを有する。
【００６０】
［１−１−９．支持部材］
図１〜図４に示される支持部材９０は、電源部８０を支持する部材である。図３に示されるように支持部材９０は、光軸Ｊ方向視において、器具本体１０から突出する突出部９１を有し、電源部８０は、突出部９１に配置されている。本実施の形態では、突出部９１は、板状の形状を有し、突出部９１のＹ軸方向負側の面に電源部８０が配置される。つまり、電源部８０は、突出部９１によって覆われる。これにより、照明器具１に上方（Ｙ軸方向正側）から水滴などが降りかかる場合にも、電源部８０内に水分が進入することを抑制できる。また本実施の形態では、電源部８０を支持する支持部材９０の配置が、照明器具１の被設置部付近の障害物によって制限され得る。しかしながら、照明器具１では、器具本体１０に対する支持部材９０の取付角度を変えることができるため、照明器具１の外観の向きを変えることなく、電源部８０の配置を変えることができる。
【００６１】
支持部材９０は、取付部材６０によって器具本体１０に取り付けられる。具体的には、図４に示されるように、支持部材９０は、取付部材６０における少なくとも二対の取付部６２のうちの一対に取り付けられている。また、支持部材９０は、少なくとも二対の取付部６２のうちの一対に取り付けられる一対の被取付部９２を有する。本実施の形態では、段付きねじ９３を、被取付部９２に形成された貫通孔を介して取付部６２に形成されたねじ穴に捻じ込むことにより、支持部材９０は取付部材６０に取り付けられる。ここで、段付きねじ９３を用いることにより、被取付部９２が取付部６２に押し当てられることなく、被取付部９２を取付部６２に取り付けることができる。したがって、支持部材９０を段付きねじ９３の軸を中心として回動させることができる。これにより、照明器具１の被設置部である天井板の厚さなどに応じて、支持部材９０の器具本体１０から遠い側の端部の高さ方向（Ｙ軸方向）の位置を調整できる。
【００６２】
［１−２．支持部材の取付態様］
本実施の形態に係る照明器具１における支持部材９０の取付態様について図面を用いて説明する。
【００６３】
図８は、本実施の形態に係る照明器具１の取付態様の一例を示す斜視図である。
【００６４】
図９は、本実施の形態に係る照明器具１の取付態様の他の一例を示す斜視図である。
【００６５】
図８及び図９に示されるように、図１に示される照明器具１の取付態様以外の態様で、支持部材９０を取付部材６０に取り付けることができる。より具体的には、照明器具１においては、光軸Ｊ方向（Ｙ軸方向）視において、器具本体１０に対する支持部材９０の光軸Ｊ回りの取付角度が可変である。本実施の形態では、八通りの取付角度で、支持部材９０を取付部材６０に取り付けることができる。
【００６６】
［１−３．照明器具の設置態様］
本実施の形態に係る照明器具１の天井などへの設置態様について図面を用いて説明する。
【００６７】
まず、本実施の形態に係る照明器具１の効果を説明するために、本実施の形態に係る照明器具１の設置態様について、比較例に係る照明器具の設置態様と比較しながら図面を用いて説明する。
【００６８】
図１０は、比較例に係る照明器具５０１の設置態様の一例を示す外観図である。図１０には、天井に三つの照明器具５０１を一列に並べて設置する例が示されている。
【００６９】
図１１は、本実施の形態に係る照明器具１の設置態様の一例を示す外観図である。図１１には、図１０に示される設置態様と同様に、天井に三つの照明器具１を一列に並べて設置する例が示されている。
【００７０】
図１０及び図１１に示される例では、右端の照明器具５０１及び照明器具１付近の天井裏に障害物４００が存在する。図１０及び図１１には、障害物４００の輪郭、並びに、照明器具５０１の突出部５９１及び照明器具１の突出部９１の輪郭が破線で示されている。
【００７１】
比較例に係る照明器具５０１は、本実施の形態に係る照明器具１と同様に、光源３０、器具本体１０、枠体２０、電源部８０及び支持部材５９０などを備える。一方、比較例に係る照明器具５０１は、器具本体１０に対する支持部材５９０の光軸Ｊ回りの取付角度が固定されている点において、照明器具１と相違する。
【００７２】
図１０に示される比較例に係る照明器具５０１の設置例では、照明器具５０１の支持部材５９０と障害物４００とを干渉させないように、照明器具５０１が設置される。このため、右端の照明器具５０１の突出部５９１だけがＺ軸方向正側に突出し、他の照明器具５０１の突出部５９１はＸ軸方向負側に突出する。これにより、右端に配置された照明器具５０１のユーザ側から見た外観の向きが、他の照明器具５０１と異なる。具体的には、図１０の中央及び左端に配置された照明器具５０１では、枠体２０を固定する二つのねじ２８が、Ｘ軸方向に配列されるが、右側の照明器具５０１では、二つのねじ２８がＺ軸方向に配列される。このため、三つの照明器具５０１の外観の統一感が損なわれる。
【００７３】
図１１に示される本実施の形態に係る照明器具１の設置例でも、右端の照明器具１の突出部９１だけがＺ軸方向正側に突出し、他の照明器具１の突出部９１はＸ軸方向負側に突出する。しかしながら、本実施の形態に係る照明器具１では、器具本体１０に対する支持部材９０の光軸Ｊ回りの取付角度が可変であるため、右端に配置された照明器具１のユーザ側から見た外観の向きを、他の照明器具１と揃えることができる。このように、本実施の形態に係る照明器具１によれば、天井裏に障害物４００が存在する場合でも、三つの照明器具１の外観の統一感を損なうことなく設置することができる。
【００７４】
［１−４．まとめ］
以上のように、本実施の形態に係る照明器具１は、光源３０と、凹部１６を有し、凹部１６内に光源３０を収容する器具本体１０と、光源３０に電力を供給する電源部８０と、電源部８０を支持する支持部材９０とを備える。照明器具１は、さらに、支持部材９０を器具本体１０に取り付ける取付部材６０であって、光源３０の光軸Ｊ方向視において、器具本体１０に対する支持部材９０の光軸Ｊ回りの取付角度が可変である取付部材６０を備える。
【００７５】
これにより、器具本体１０の設置の向きを変更することなく、電源部８０を支持する支持部材９０の取付角度を変えることができる。このため、照明器具１のユーザ側からみた外観の向きを変えることなく、電源部８０の配置を変更することができる。特に、複数の照明器具１を配列して用いる場合、被設置部に存在する障害物の有無に関わらずに、複数の照明器具１の外観の向きを揃えることができる。これにより、複数の照明器具１の外観の統一感を損なうことなく、複数の照明器具１を設置することができる。
【００７６】
また、照明器具１において、支持部材９０は、光軸Ｊ方向視において、器具本体１０から突出する突出部９１を有し、電源部８０は、突出部９１に配置されていてもよい。
【００７７】
この場合、電源部８０を支持する支持部材９０の配置が、照明器具１の被設置部付近の障害物によって、制限され得る。しかしながら、照明器具１では、支持部材９０の取付角度を変えることができるため、照明器具１の外観の向きを変えることなく、電源部８０の配置を変えることができる。
【００７８】
また、照明器具１において、取付角度は、不連続的に可変であってもよい。
【００７９】
これにより、支持部材９０の取付角度が連続的に変動することを抑制できるため、支持部材９０及び電源部８０を器具本体１０に対して安定的に取り付けることができる。
【００８０】
また、照明器具１において、取付部材６０は、支持部材９０を互いに異なる取付角度で取り付ける少なくとも二対の取付部６２を有し、支持部材９０は、少なくとも二対の取付部６２のうちの一対に取り付けられていてもよい。
【００８１】
これにより、支持部材９０は、少なくとも二つの取付角度で、器具本体１０に取り付けることができる。
【００８２】
また、照明器具１において、支持部材９０は、少なくとも二対の取付部６２のうちの一対に取り付けられる一対の被取付部９２を有してもよい。
【００８３】
これにより、支持部材９０を二対の取付部６２の一対に対応する取付角度で、器具本体１０に取り付けることができる。
【００８４】
また、照明器具１において、少なくとも二対の取付部６２の各対は、光軸Ｊを挟んで互いに対向していてもよい。
【００８５】
このように、支持部材９０によって、取付部材６０及び器具本体１０に加えられる力が、光軸Ｊを挟んで対向する位置に加えられるので、取付部材６０及び器具本体１０に加えられる力が光軸Ｊに対して一方寄りに偏らない。したがって、取付部材６０及び器具本体１０にバランスよく力が加わるため、それらの変形及び破損を抑制することができる。
【００８６】
また、照明器具１において、取付部材６０は、多角形の板状部６１を備え、少なくとも二対の取付部６２は、多角形の辺部から延びていてもよい。
【００８７】
また、照明器具１において、器具本体１０は、取付部材６０を固定する一対の第一固定部１４１をさらに備えてもよい。
【００８８】
また、照明器具１において、器具本体１０の凹部１６の開口部１７側に配置され、鍔部２５を有する環状の枠体２０をさらに備えてもよい。
【００８９】
また、照明器具１において、枠体２０は、器具本体１０に固定される一対の第二固定部２１を有してもよい。
【００９０】
また、照明器具１は、被設置部に埋め込み配設されるダウンライトであってもよい。
【００９１】
このように、照明器具１が被設置部に埋め込み配設される場合には、被設置部付近に障害物が存在する場合がある。この場合でも、照明器具１では、器具本体１０の設置の向きを変更することなく、電源部８０を支持する支持部材９０の取付角度を変えることができるため、照明器具１のユーザ側からみた外観の向きを変えることなく、電源部８０の配置を変更することができる。
【００９２】
（実施の形態２）
実施の形態２に係る照明器具について説明する。本実施の形態に係る照明器具は、器具本体１０に対する支持部材の取付角度が連続的に可変である点において、実施の形態１に係る照明器具１と相違する。以下、本実施の形態に係る照明器具について、実施の形態１との相違点を中心に説明する。
【００９３】
［２−１．全体構成］
本実施の形態に係る照明器具の全体構成について図面を用いて説明する
図１２は、本実施の形態に係る照明器具１ａの外観を示す斜視図である。
【００９４】
図１３は、本実施の形態に係る照明器具１ａの構成を示す一部分解斜視図である。
【００９５】
図１２及び図１３に示されるように、本実施の形態に係る照明器具１ａは、実施の形態１に係る照明器具１と同様に、器具本体１０、枠体２０、取付部材６０ａ、電源部８０及び支持部材９０ａを備える。また、図示しないが、照明器具１ａは、照明器具１と同様に、器具本体１０の内部に、光源３０、反射部材４０、光学部材４２及びカバー部材４４をさらに備える。照明器具１ａは、取付部材６０ａ及び支持部材９０ａの構成において、照明器具１と相違する。
【００９６】
図１３に示される取付部材６０ａは、支持部材９０ａを器具本体１０に取り付ける部材であって、光源３０の光軸Ｊ方向視において、器具本体１０に対する支持部材９０ａの光軸Ｊ回りの取付角度が可変である。本実施の形態に係る取付部材６０ａは、板状部６１ａ及び第三固定部６３ａを備える。第三固定部６３ａには、実施の形態１に係る照明器具１の第三固定部６３と同様に、貫通孔が形成されている。当該貫通孔を介してねじ６５が第一固定部１４１のねじ穴に捻じ込まれることにより、取付部材６０ａは器具本体１０に固定される。
【００９７】
本実施の形態においては、取付部材６０ａは、板状部６１ａから延びる取付部を有さない。また、板状部６１ａには、ねじ穴６８が形成されている。
【００９８】
図１３に示される支持部材９０ａは、電源部８０を支持する部材である。支持部材９０ａは、光軸Ｊ方向視において、器具本体１０から突出する突出部９１ａを有し、電源部８０は、突出部９１ａに配置されている。本実施の形態に係る支持部材９０ａにおいても、実施の形態１に係る支持部材９０と同様に、突出部９１ａは、板状の形状を有する。電源部８０は、突出部９１ａのＹ軸方向負側の面に配置される。一方、本実施の形態に係る支持部材９０ａにおいては、突出部９１ａの器具本体１０寄りの端部付近に、貫通孔９６が形成されている。貫通孔９６を介して、段付きねじ９７が取付部材６０ａのねじ穴６８に捻じ込まれることにより、支持部材９０ａが取付部材６０ａに取り付けられる。このように支持部材９０ａが取付部材６０ａに取り付けられることにより、図１２における支持部材９０ａ付近の矢印で示されるように、光軸Ｊ方向視において、器具本体１０に対する支持部材９０ａの光軸Ｊ回りの取付角度を可変にすることができる。
【００９９】
また、支持部材９０ａに形成された貫通孔９６の径は、段付きねじ９７のショルダ部の径より大きい。これにより、光軸Ｊを含む平面内における支持部材９０ａの、取付部材６０ａに対する傾斜角を変化させることができる。したがって、照明器具１ａの被設置部である天井板の厚さなどに応じて、支持部材９０ａの器具本体１０から遠い側の端部の高さ方向（Ｙ軸方向）の位置を調整できる。
【０１００】
［２−２．まとめ］
以上のような構成を有することにより、照明器具１ａにおいては、光源３０の光軸Ｊ方向視において、器具本体１０に対する支持部材９０ａの光軸Ｊ回りの取付角度は、連続的に可変である。
【０１０１】
これにより、実施の形態１に係る照明器具１より、取付角度の自由度をより一層向上させることができる。
【０１０２】
（変形例など）
以上、本発明に係る照明器具について、実施の形態に基づいて説明したが、本発明は、上記各実施の形態に限定されるものではない。
【０１０３】
例えば、上記各実施の形態では、各取付部材は、器具本体１０の第一固定部１４１に固定されたが、取付部材は、器具本体１０の他の部分に固定されてもよい。例えば、取付部材は、器具本体１０の放熱部１３に取り付けられてもよい。
【０１０４】
また、上記各実施の形態では、各取付部材は器具本体１０とは別体として構成されたが、取付部材は、器具本体１０と一体的に形成されてもよい。
【０１０５】
また、光学部材４２は、フレネルレンズであったが、光学部材４２は、これに限定されない。例えば、ハイブリッドレンズなど、全反射を用いて配光を制御する透光性の光学部材であればよい。
【０１０６】
また、上記各実施の形態においては、光源３０において、ＣＯＢ型ＬＥＤを用いたが、他の発光素子を用いてもよい。例えば、ＳＭＤ（Ｓｕｒｆａｃｅ  Ｍｏｕｎｔ  Ｄｅｖｉｃｅ）型ＬＥＤを用いてもよい。また、有機ＥＬ（Ｅｌｅｃｔｒｏ  Ｌｕｍｉｎｅｓｃｅｎｃｅ）素子など他の固体発光素子、又は、蛍光ランプなどの固体発光素子以外の他の光源を用いてもよい。
【０１０７】
また、実施の形態２では、支持部材９０ａの器具本体１０に対する取付角度を連続的に可変にするために、段付きねじ９７を用いて、支持部材９０ａを取付部材６０ａに取り付けたが、リベットなどの段付きねじ９７以外の部材を用いてもよい。
【０１０８】
その他、実施の形態に対して当業者が思いつく各種変形を施して得られる形態、又は、本発明の趣旨を逸脱しない範囲で各実施の形態における構成要素及び機能を任意に組み合わせることで実現される形態も本発明に含まれる。
【符号の説明】
【０１０９】
１、１ａ、５０１  照明器具
１０  器具本体
１３  放熱部
１６  凹部
１７  開口部
２０  枠体
２１  第二固定部
２５  鍔部
３０  光源
６０、６０ａ  取付部材
６１、６１ａ  板状部
６２  取付部
８０  電源部
９０、９０ａ、５９０  支持部材
９１、９１ａ、５９１  突出部
９２  被取付部
１４１  第一固定部
Ｊ  光軸
【図１】
2017139137.tif 000003
【図２】
2017139137.tif 000004
【図３】
2017139137.tif 000005
【図４】
2017139137.tif 000006
【図５】
2017139137.tif 000007
【図６】
2017139137.tif 000008
【図７】
2017139137.tif 000009
【図８】
2017139137.tif 000010
【図９】
2017139137.tif 000011
【図１０】
2017139137.tif 000012
【図１１】
2017139137.tif 000013
【図１２】
2017139137.tif 000014
【図１３】
2017139137.tif 000015